(57)【要約】【課題】動作不良を抑制できるレンズ駆動装置を提供する。【解決手段】ホルダ５が所定距離以上、いずれかのトラッキング方向に移動したときに、移動方向の段部５ｘが、ヨーク８Ａの対向する面に当接してストッパとしての機能を発揮するので、それ以上のホルダ５の移動を阻止することができる。一方、段部５ｘは、磁石１０Ａに直接当接することはないので、磁石１０Ａがヨーク８Ａに対してずれたり脱落したりすることが抑制される。【選択図】図２
2007188594.tif 000002
【特許請求の範囲】
【請求項１】
光ピックアップ装置用のレンズ駆動装置であって、
レンズを保持し移動可能なホルダと、
前記ホルダをトラッキング方向及びフォーカシング方向に駆動するアクチュエータと、を有し、
前記アクチュエータは、ヨークと磁石とを有し、前記ホルダがトラッキング方向に移動したときに、前記磁石が当接する前に、前記ヨークに当接するようになっていることを特徴とするレンズ駆動装置。
【請求項２】
トラッキング方向における前記ヨークの長さは、同方向における磁石の長さより長いことを特徴とする請求項１に記載のレンズ駆動装置。
【請求項３】
トラッキング方向における前記ヨークと前記ホルダとの間隔は、前記磁石と前記ホルダとの間隔より小さいことを特徴とする請求項１又は２に記載のレンズ駆動装置。
【請求項４】
前記ヨークと前記磁石は、前記ホルダの開口内に配置され、トラッキング方向における前記開口の幅は、前記ヨークに対向する位置において、前記磁石に対向する位置よりも狭くなっていることを特徴とする請求項１〜３のいずれかに記載のレンズ駆動装置。
【請求項５】
前記開口内には、前記ヨークに対向する位置において突起が形成されていることを特徴とする請求項４に記載のレンズ駆動装置。
【発明の詳細な説明】
【技術分野】
【０００１】
本発明は、光ピックアップ装置用のレンズ駆動装置に関し、特に、対物レンズなどを駆動するのに好適なレンズ駆動装置に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの光ディスクに情報の記録／再生を行える光ピックアップ装置の開発も急速に進んでいる。ここで、光ピックアップ装置における、集光スポットを形成する対物レンズにおいては、情報の記録及び／又は再生時に、光ディスクの情報記録面に集光スポットを適切に結像させるためのフォーカシング動作と、光ディスクのトラックに適切に追従するトラッキング動作とが必要となっている。
【０００３】
特許文献１には、片側２本ずつ合計４本のワイヤ状のサスペンション部材にて、フォーカシング動作、トラッキング動作、及びチルト動作可能にレンズホルダを支持するレンズ駆動装置が開示されている。サスペンション部材は、レンズホルダを弾性支持する機能と、各動作に必要な磁力を発生させるためにコイルに電力を供給する機能とを有する。
【特許文献１】特開２００５−２１６３５７号公報
【発明の開示】
【発明が解決しようとする課題】
【０００４】
しかるに、レンズ駆動装置において、対物レンズを保持したホルダをトラッキング方向に移動させる場合、許容範囲を超えて移動しないようにストッパを設ける必要がある。ここで、ホルダが所定距離移動したときに、アクチュエータの磁石に当接させることでストッパの機能を実現する構成も考えられる。しかしながら、かかる構成では勢いよくホルダが磁石に当接したときに、ヨークと磁石とがずれたり脱落したりする恐れがあり、それにより動作不良を生じさせる恐れがある。
【０００５】
本発明は、かかる問題点に鑑みて成されたものであり、動作不良を抑制したレンズ駆動装置を提供することを目的とする。
【課題を解決するための手段】
【０００６】
請求項１に記載のレンズ駆動装置は、光ピックアップ装置用のレンズ駆動装置であって、
レンズを保持し移動可能なホルダと、
前記ホルダをトラッキング方向及びフォーカシング方向に駆動するアクチュエータと、を有し、
前記アクチュエータは、ヨークと磁石とを有し、前記ホルダがトラッキング方向に移動したときに、前記磁石が当接する前に、前記ヨークに当接するようになっていることを特徴とする。
【０００７】
本発明のレンズ駆動装置によれば、前記アクチュエータが、ヨークと磁石とを有し、前記ホルダがトラッキング方向に移動したときに、前記磁石が当接する前に、前記ヨークに当接するようになっているので、前記ホルダが前記磁石に当接することが抑制され、前記磁石が前記ヨークに対してずれたり脱落したりする不具合を回避できる。なお、前記ホルダが前記ヨークに当接した後は、前記磁石が前記ホルダに当接しても、当接時の衝撃をある程度抑えることができるので効果があるが、前記磁石と前記ホルダとは非当接とするのがより好ましい。
【０００８】
請求項２に記載のレンズ駆動装置は、請求項１に記載の発明において、トラッキング方向における前記ヨークの長さは、同方向における磁石の長さより長いことを特徴とする。
【０００９】
請求項３に記載のレンズ駆動装置は、請求項１又は２に記載の発明において、トラッキング方向における前記ヨークと前記ホルダとの間隔は、前記磁石と前記ホルダとの間隔より小さいことを特徴とする。
【００１０】
請求項４に記載のレンズ駆動装置は、請求項１〜３のいずれかに記載の発明において、前記ヨークと前記磁石は、前記ホルダの開口内に配置され、トラッキング方向における前記開口の幅は、前記ヨークに対向する位置において、前記磁石に対向する位置よりも狭くなっていることを特徴とする。
【００１１】
請求項５に記載のレンズ駆動装置は、請求項４に記載の発明において、前記開口内には、前記ヨークに対向する位置において突起が形成されていることを特徴とする。
【発明の効果】
【００１２】
本発明によれば、動作不良を抑制できるレンズ駆動装置を提供することができる。
【発明を実施するための最良の形態】
【００１３】
以下、図面を参照して、本発明をさらに詳細に説明する。図１は、本実施の形態にかかるレンズ駆動装置の斜視図である。ヨークを兼ねた板状のベース１は、不図示の光ピックアップ装置のハウジングに固定される。ベース１上には、筐体２が固定されている。筐体２の図で手前側には、ベース基板３が取り付けられている。ベース基板３には、片側で３本ずつ、合計６本のワイヤ４の一端が固定されており、各側のワイヤ４は、上下方向に等間隔で平行に並べられ且つベース１に沿って延在している。ワイヤ４の他端は、ホルダ５の側面に、ガラスエポキシ製のホルダ基板１４を介してハンダ付け又はカシメ固定されている。ワイヤ４は、ベース１に対してホルダ５を移動可能に支持する機能と、不図示の配線が接続されるベース基板３から、後述するコイルに対して給電するための機能とを有する。なお、筐体２内には、ワイヤ４のダンピング効果のあるジェル（不図示）が充填されている。
【００１４】
樹脂製のホルダ５は、略五角形の板状を有しており、図で奥側の円形開口（不図示）内に対物レンズ６を装着している。この対物レンズ６は、光ピックアップ装置において、光ディスクの情報記録面にレーザ光束を集光するために用いられる。又、ホルダ５は、図で手前側に２つの矩形開口５ａ、５ｂを形成しており、更に矩形開口５ａ、５ｂに隣接してバランサ５ｃを有している。なお、ホルダ５は、対物レンズ６側と、それと反対側との間を、矩形開口５ａの両側に配置された柱部５ｄ、５ｅとで連結し、且つ矩形開口５ｂの両側に配置された柱部５ｅ、５ｆとで連結しているともいえる。かかる構成を有しているので、矩形開口５ａ、５ｂの断面積を比較的大きく確保しても、ホルダ５の剛性を高く確保できる。又、中央の共通する柱部５ｅの中央軸線は、対物レンズ６の光軸（その延長線を含む）と交差していると、ホルダ５の良好なバランスを得ることができる。
【００１５】
矩形開口５ａ内には、ベース１の一部を折り曲げて形成されるヨーク７Ａ、８Ａに、それぞれ裏打ちされて接着された一対の磁石９Ａ，１０Ａが対向配置されている。磁石９Ａとヨーク７Ａの周囲を巻回するようにして第１コイル群Ｇ１（内側コイル１２Ａと外側コイル１３Ａ）が配置されている。第１コイル群Ｇ１と磁石１０Ａとの間には、第１コイル群Ｇ１と巻軸線が直交するように巻かれたトラッキングコイル１１Ａが配置されている。
【００１６】
一方、矩形開口５ｂ内には、ベース１の一部を折り曲げて形成されるヨーク７Ｂ、８Ｂに、それぞれ裏打ちされた一対の磁石９Ｂ，１０Ｂが対向配置されている。磁石９Ｂとヨーク７Ｂの周囲を巻回するようにして第２コイル群Ｇ２（内側コイル１２Ｂと外側コイル１３Ｂ）が配置されている。第２コイル群Ｇ２と磁石１０Ｂとの間には、第２コイル群Ｇ２と巻軸線が直交するように巻かれたトラッキングコイル１１Ｂが配置されている。第１コイル群Ｇ１は、その両側を保持する保持体１５Ａを介して矩形開口５ａに取り付けられており、第２コイル群Ｇ２は、その両側を保持する保持体１５Ｂを介して矩形開口５ｂに取り付けられている。
【００１７】
図２は、図１に示す磁石１０Ａ、ヨーク８Ａの周辺を矢印II方向に見た図である。矩形開口５ａは、図２で上方側の両側面において段部５ｘ、５ｘを有しているため、対物レンズ側の幅が狭くなっている。段部５ｘ、５ｘは、トラッキング方向（図２以降において矢印Ｔｒで示す左右方向）において、ヨーク８Ａに対向しているが、磁石１０Ａには対向していない。
【００１８】
次に、本実施の形態にかかるレンズ駆動装置の動作について説明する。図１において、外側コイル１３Ａを横切る磁界の向きは、外側コイル１３Ｂを横切る磁界の向きと同じである。ここで、ワイヤ４を介して給電されたとき、外側コイル１３Ａ、１３Ｂには、同じ電流値で同じ方向（ここでは時計回り）に電流が流れるため、フレミングの左手の法則により、外側コイル１３Ａには、図で上方に向かう磁力が生じ、外側コイル１３Ｂには、図で上方に向かう磁力が生じる。従って、第１コイル群Ｇ１と第２コイル群Ｇ２が固定されたホルダ５は、図で上方に移動することなり、それにより対物レンズ６を光軸方向に移動させることでフォーカシング動作を実現することができる。なお、電流の向きを逆にすれば、ホルダ５は下方に移動する。
【００１９】
一方、内側コイル１２Ａには、時計回りの方向に電流を流し、内側コイル１２Ｂには、反時計回りの方向に電流を流すと、フレミングの左手の法則により、内側コイル１２Ａには、図で上方に向かう磁力が生じ、内側コイル１２Ｂには、図で下方に向かう磁力が生じる。従ってホルダ５には、その中心軸線回りにモーメントが作用することとなる。かかるモーメントを用いて、ホルダ５を傾けることで、対物レンズ６のチルト動作を行うことができる。なお、内側コイル１２Ａ、１２Ｂの電流の流れる方向を同じ時計回りにし、外側コイル１３Ａ、１３Ｂの電流の流れる方向を異ならせた場合、時計回りの磁気回路が形成され、ギャップ磁束密度が増大するという利点がある。
【００２０】
更に、トラッキングコイル１１Ａ、１１Ｂに電流を流すことで、ホルダ５を対物レンズ６と共に、光軸に直交する方向に移動可能となっており、それによりトラッキング動作を行うことができる。
【００２１】
本実施の形態によれば、ホルダ５が所定距離以上、いずれかのトラッキング方向に移動したときに、移動方向の段部５ｘが、ヨーク８Ａの対向する面に当接してストッパとしての機能を発揮するので、それ以上のホルダ５の移動を阻止することができる。一方、段部５ｘは、磁石１０Ａに直接当接することはないので、磁石１０Ａがヨーク８Ａに対してずれたり脱落したりすることが抑制される。なお、このような段部は、矩形開口５ｂに設ける必要はないが、設けても良いことは言うまでもない。
【００２２】
図３は、本実施の形態の変形例を示す図２と同様な図である。本変形例においては、矩形開口５ａは段部を形成していない。その代わり、ヨーク８Ａのトラッキング方向の幅Ｗ８は、磁石１０Ａのトラッキング方向の幅Ｗ１０より長くなっており、磁石１０Ａに対するヨーク８Ａのはみ出し量は、両側で等しくなっている。
【００２３】
本変形例によれば、ホルダ５が所定距離以上、いずれかのトラッキング方向に移動したときに、移動方向の矩形開口５ａの側面が、ヨーク８Ａの対向する面に当接してストッパとしての機能を発揮するので、それ以上のホルダ５の移動を阻止することができる。一方、矩形開口５ａの側面は、磁石１０Ａに直接当接することはないので、磁石１０Ａがヨーク８Ａに対してずれたり脱落したりすることが抑制される。
【００２４】
図４は、本実施の形態の別な変形例を示す図２と同様な図である。本変形例においては、段部を有しない単一の矩形開口５ａが形成されており、その内側に、ヨーク８Ａと磁石１０Ａ、及びヨーク８Ｂと磁石１０Ｂとが並列に配置されている。ここで、左側のヨーク８Ａのトラッキング方向の幅Ｗ８は、磁石１０Ａのトラッキング方向の幅Ｗ１０より長くなっており、磁石１０Ａに対してヨーク８Ａは左側にのみはみ出している。一方、右側のヨーク８Ｂのトラッキング方向の幅Ｗ８’は、磁石１０Ｂのトラッキング方向の幅Ｗ１０’より長くなっており、磁石１０Ｂに対してヨーク８Ｂは右側にのみはみ出している。
【００２５】
本変形例によれば、ホルダ５が所定距離以上、トラッキング右方向に移動したときに、矩形開口５ａの左側面が、ヨーク８Ａの対向する面に当接してストッパとしての機能を発揮するので、それ以上のホルダ５の移動を阻止することができる。一方、矩形開口５ａの側面は、磁石１０Ａに直接当接することはないので、磁石１０Ａがヨーク８Ａに対してずれたり脱落したりすることが抑制される。又、ホルダ５が所定距離以上、トラッキング左方向に移動したときに、矩形開口５ａの右側面が、ヨーク８Ｂの対向する面に当接してストッパとしての機能を発揮するので、それ以上のホルダ５の移動を阻止することができる。一方、矩形開口５ａの側面は、磁石１０Ｂに直接当接することはないので、磁石１０Ｂがヨーク８Ｂに対してずれたり脱落したりすることが抑制される。なお、トラッキング方向における磁石１０Ａ、１０Ｂの長さを、ヨーク８Ａ、８Ｂの長さと等しく或いはそれより長くした場合でも、ヨーク８Ａ、８Ｂとホルダ５との間隔を、磁石１０Ａ、１０Ｂとホルダ５との間隔より小さくすれば同様な効果を奏する（図４の点線参照）。
【００２６】
図５は、本実施の形態の別な変形例を示す図２と同様な図である。本変形例においては、図２の実施の形態に対し、矩形開口５ａに段部を設ける代わりに、ヨーク８Ａに対向して半球形の突起５ｙ、５ｙを設けている点が異なる。本変形例によれば、ホルダ５が所定距離以上、いずれかのトラッキング方向に移動したときに、いずれかの突起５ｙが、ヨーク８Ａの対向する面に当接してストッパとしての機能を発揮するので、それ以上のホルダ５の移動を阻止することができる。一方、突起５ｙを含む矩形開口５ａの側面は、磁石１０Ａに直接当接することはないので、磁石１０Ａがヨーク８Ａに対してずれたり脱落したりすることが抑制される。
【００２７】
以上、本発明を実施の形態を参照して説明してきたが、本発明は上記実施の形態に限定して解釈されるべきではなく、適宜変更・改良が可能であることはもちろんである。例えば、上述した実施の形態と変形例を適宜組み合わせて用いることは任意である。
【図面の簡単な説明】
【００２８】
【図１】本実施の形態にかかるレンズ駆動装置の斜視図である。
【図２】図１に示す磁石１０Ａ、ヨーク８Ａの周辺を矢印II方向に見た図である。
【図３】本実施の形態の変形例を示す図２と同様な図である。
【図４】本実施の形態の別な変形例を示す図２と同様な図である。
【図５】本実施の形態の別な変形例を示す図２と同様な図である。
【符号の説明】
【００２９】
１ ベース
２ 筐体
３ ベース基板
４ ワイヤ
５ ホルダ
５ａ 矩形開口
５ｂ 矩形開口
５ｃ バランサ
５ｄ 柱部
５ｅ 柱部
５ｆ 柱部
５ｘ 段部
５ｙ 突起
６ 対物レンズ
７Ａ ヨーク
７Ｂ ヨーク
９Ａ 磁石
９Ｂ 磁石
１０Ａ 磁石
１０Ｂ 磁石
１１Ａ トラッキングコイル
１１Ｂ トラッキングコイル
１２Ａ 内側コイル
１２Ｂ 内側コイル
１３Ａ 外側コイル
１３Ｂ 外側コイル
１４ ホルダ基板
１５Ａ 保持体
１５Ｂ 保持体
Ｇ１ 第１コイル群
Ｇ２ 第２コイル群
Ｈ１〜Ｈ３ 配線
ＳＤ ハンダ
ＳＷ ハンダ材
Ｗ ワイヤ
【図１】
2007188594.tif 000003
【図２】
2007188594.tif 000004
【図３】
2007188594.tif 000005
【図４】
2007188594.tif 000006
【図５】
2007188594.tif 000007